(57)【要約】【課題】人の流れを堰き止めることなく、検査装置を意識させずに、検査位置で確実に停止させて鮮明なＸ線画像を得るようにしたＸ線検査装置を付属する保安ゲートを提供する。【解決手段】人の立ち入る領域の入り口に設けられ、出口側に人の通過を妨げる出口障害物２２を備えた通路２１と、その通路の所定の撮影位置２６を挟んで設置されたＸ線発生装置２４とＸ線撮像装置２５の組合せと、Ｘ線撮像装置の検出結果を画像に表示する画像表示装置を備えて、通路の撮影位置に立った人５の全身をＸ線撮影してその人が身につけた持ち込み禁制品を検出し、禁制品を検出しないときに出口障害物２２をどかして人の立ち入りができるようにする。【選択図】　図１
2004069575.tif 000002
【特許請求の範囲】
【請求項１】
人の立ち入る領域の入り口に設けられたゲートであって、出口側に人の通過を妨げる出口障害物を備えた通路と、該通路の所定の撮影位置を挟んで設置されたＸ線発生装置とＸ線撮像装置の組合せと、該Ｘ線撮像装置の検出結果を画像に表示する画像表示装置を備えて、前記撮影位置に立った人の全身をＸ線撮影してその人が身につけた持ち込み禁制品を検出し、該禁制品を検出しないときに前記出口障害物をどかして当該人の立ち入りができるようにするＸ線検査装置付き保安ゲート。
【請求項２】
前記Ｘ線撮像装置を前記出口障害物に仕込んだことを特徴とする請求項１記載のＸ線検査装置付き保安ゲート。
【請求項３】
前記Ｘ線撮像装置が、１次元ライン検出器を備えて対象物と相対的に移動することにより撮影する方式であることを特徴とする請求項１または２記載のＸ線検査装置付き保安ゲート。
【請求項４】
前記出口障害物が逆方向に動く１対の引き戸になっていて中央の合わせ目で通路の開閉を行うもので、前記Ｘ線撮像装置が手前に設けられる第１の引き戸に装備され水平方向に移動する間に撮影すると共に、第２の引き戸が逆方向に動いて通路を開くことを特徴とする請求項３記載のＸ線検査装置付き保安ゲート。
【請求項５】
前記Ｘ線撮像装置が、２次元検出器を備えて一括撮影する方式であることを特徴とする請求項１または２記載のＸ線検査装置付き保安ゲート。
【請求項６】
前記撮影位置に人が立ったときにそれを検出する人センサと制御装置を備え、該制御装置が前記人センサの検出信号に応じてＸ線撮影を行い前記禁制品を自動判定して、禁制品を検出したときに警報を発生し、検出しないときに前記障害物をどかすことを特徴とする請求項１から５のいずれかに記載のＸ線検査装置付き保安ゲート。
【請求項７】
前記人センサが、手や足で駆動する接点式スイッチ、体重を検知する荷重スイッチ、体温を感知する温度センサスイッチ、接触センサ、超音波センサ、赤外センサのいずれかであることを特徴とする請求項６記載のＸ線検査装置付き保安ゲート。
【請求項８】
前記通路の入口側に人の通過を妨げる入口障害物を備え、前記人センサが人の存在を検出していないときのみ該入口障害物をどかして人が前記通路に立ち入ることができるようにしたことを特徴とする請求項１から７のいずれかに記載のＸ線検査装置付き保安ゲート。
【請求項９】
さらに電子カメラを備えて、前記Ｘ線撮像した人物の顔あるいは全身を撮影して、前記Ｘ線撮影画像と対にしてデータベースに記録することを特徴とする請求項１から８のいずれかに記載のＸ線検査装置付き保安ゲート。
【請求項１０】
さらに前記通路の横面に扉が設けられ、Ｘ線検査により禁制品を検出したときに該扉が開いて該人を詳細検査をする所に案内することを特徴とする請求項１から９のいずれかに記載のＸ線検査装置付き保安ゲート。
【請求項１１】
さらに入口部に金属検知器を備えることを特徴とする請求項１から１０のいずれかに記載のＸ線検査装置付き保安ゲート。
【請求項１２】
さらに入口部にチケット検査装置を備えることを特徴とする請求項１から１１のいずれかに記載のＸ線検査装置付き保安ゲート。
【請求項１３】
前記通路はＬ字状に折れ曲がった部分を有して、その角の壁の外に前記Ｘ線発生装置を備えることを特徴とする請求項１から１２のいずれかに記載のＸ線検査装置付き保安ゲート。
【請求項１４】
前記保安ゲートをコンテナもしくはトレーラに組み込んで搬送を可能にしたことを特徴とする請求項１から１３のいずれかに記載のＸ線検査装置付き保安ゲート。
【発明の詳細な説明】
【０００１】
【発明の属する技術分野】
本発明は、空港や建物などの出入り口に設置して、爆発物、刃物、銃器などの危険物や麻薬など、機内持ち込みを禁止する危険物や通関できない禁制品の持ち込みを阻止するゲートに関し、特に人が身に付けて持ち込もうとする不審物を漏れなく検出する為のゲートに関する。
【０００２】
【従来の技術】
従来、出発空港ではハイジャックやテロを防止するため、機内持ち込みの手荷物については、中身をＸ線で撮影し、収納物の形状に基づいて検査している。また、搭乗客については、金属探知器を馬蹄形に備えたゲートに通して、身に付けた大型の金属製品を検出して凶器となるナイフや銃器を飛行機に持ち込ませないようにしている。しかし、搭乗客が身に付けた非金属製危険物や小型の凶器類は検出することができない。また体内や靴底などに隠した麻薬などを検出することもできない。
一方、到着空港では、麻薬その他の禁輸品の国内持ち込みを防ぐため、不審者について持ち込み荷物の中身を検査したり、尋問したり身体検査をすることにより不審物を探り出す。
【０００３】
なお、旅客機を用いたテロがあると被害は甚大なものとなるので、Ｘ線照射の人体に対する影響を考慮しても、総合的な安全のために搭乗者全員についてＸ線検査をして禁制品の機内持ち込みを防止することが求められる事態が発生することがある。
また従来も、Ｘ線装置を用いて不審者自身をＸ線撮影し身に付けた武器や麻薬などの禁制品を洗い出すことがある。
【０００４】
このようなＸ線身体検査装置として、オランダのエムエムシー社（ＭＭＣ　Ｉｎｔｅｒｎａｔｉｏｎａｌ　Ｃｏ．）製のＣｏｎｐａｓｓ　Ｂｏｄｙ　Ｓｃａｎｎｅｒがある。この製品は、垂直のスリット状Ｘ線ビームを照射しているところを水平方向に走行する移動台に被験者が乗って横方向に移動する間に１次元センサをスキャンし重畳して平面画像にする。こうして合成された平面画像を観察し、対象物を検出したときに報知する。
また、アメリカのラピスキャンセキュリティプロダクツ社（Ｒａｐｉｓｃａｎ　Ｓｅｃｕｒｉｔｙ　Ｐｒｏｄｕｃｔｓ　Ｃｏ．）製のセキュリティ１０００は、散乱線を利用して、被験者を測定面前に立たせてペンシル状のＸ線ビームで全身をスキャンするものである。
【０００５】
これら従来のＸ線身体検査装置では、人の流れを堰き止めて特定の検査を受けさせるので、被験者は被容疑者であることが意識され、人権を侵されたような抵抗感を抱くことになる。また、被験者をわざわざ検査装置の方へ導くため、機会を見て禁制品や凶器などを隠したり放棄する余裕が生じる。
【０００６】
【発明が解決しようとする課題】
そこで、本発明が解決しようとする課題は、人の流れを堰き止めることなく、検査装置を意識させずに、検査位置で確実に停止させて鮮明なＸ線画像を得るようにしたＸ線検査装置を付属する保安ゲートを提供することである。
【０００７】
【課題を解決するための手段】
上記課題を解決するため、人の立ち入る領域の入り口に設けられる本発明のＸ線検査装置付き保安ゲートは、出口側に人の通過を妨げる出口障害物を備えた通路と、その通路の所定の撮影位置を挟んで設置されたＸ線発生装置とＸ線撮像装置の組合せと、Ｘ線撮像装置の検出結果を画像に表示する画像表示装置を備えて、通路の撮影位置に立った人の全身をＸ線撮影してその人が身につけた持ち込み禁制品を検出し、禁制品を検出しないときに出口障害物をどかして人の立ち入りができるようにすることを特徴とする。
出口障害物は扉や戸のような物であってもよい。
【０００８】
本発明の保安ゲートによると、搭乗客や入国者をゲートに通して身体検査を受けさせることが可能で、金属探知器には反応しないような非金属製の凶器や麻薬など隠し持った禁制品を探し出すことができる。検査により疑わしい物を帯同していないことが証明されると、自動的に出口を開いてゲートを通過させ、疑わしい物を検出したときには、別の部屋に導いて逮捕したりさらに精査することが可能である。
また、Ｘ線発生装置とＸ線撮像装置は被験者の目に入らないような位置に設置することが好ましい。搭乗客等にＸ線検査装置が見えないように設置しておけば、自身が身体検査を受けていることを意識させることがない。また、搭乗客や入国者の全員にゲートを通させて検査するようにすれば、禁制品を見落とすことなく完全に検出することができる。
【０００９】
さらに、Ｘ線撮像装置を扉などの出口障害物に組み込んだものでは、ゲート通過者が出口扉の前まで進んで扉が開くのを待つ間にＸ線撮影することができる。このようにすると、人は扉の前で自然に静止するのでここで撮影すると、より鮮明なＸ線画像を得ることができる。
Ｘ線撮像装置は、シンチレータとフォトダイオードを組み合わせたもの、半導体検出器、イオンチャンバなどの１次元ラインセンサを用いて、被写体とＸ線撮像装置が相対的に移動することによりスキャンして全体像を取得するようにしたものであってもよい。Ｘ線撮像装置を移動する出口扉に仕込んで、開扉する途中で撮像するようにしてもよい。
【００１０】
ただし、身体検査で合格とする結果がでるまでは被験者が扉を通れないようにしなければならない。そこで、たとえば、扉を互いに逆方向に動く１対の引き戸として、手前の扉板にＸ線撮像装置を仕込み、撮影が終了するまでは前の扉板と後ろの扉板が重なって通路が塞がれたままになるように構成する。
また、Ｘ線撮像装置は、フラットパネル型検出器、イメージングプレート、イメージインテンシファイヤなどの２次元検出素子を用いたもので、一括撮影ができるようなものであってもよい。２次元検出素子を用いると、被験者が静止している時間が短くても鮮明な画像を得ることができる。
【００１１】
さらに、Ｘ線撮影する位置に人が来たときに人センサでこれを検出して、検出信号をトリガーとして自動的にＸ線撮影をして、得られた画像を画像処理して禁制品を検索し、禁制品が検出されたときには警報を発生し、検出されないときには出口障害物を退かして通れるようにすることができる。
このような自動検出、自動測定、自動判定装置を使用することにより、検査効率は大幅に向上し、通過する搭乗客や入国者の流れをスムーズに捌くことができる。
【００１２】
なお、人センサとしては、通路に接点式スイッチを設置して、通過する人に手あるいは足で操作させるようにしてもよい。通路上の人が必ず踏むように板を敷いて、板を踏むとスイッチが作動するようにしたり、監視人がスイッチを操作するようにしてもよい。このような接点式スイッチは、極めて単純な構造を持ち安価に入手することができる。
また、体重を検知する荷重スイッチを利用してもよい。単なるフットスイッチであっても検査対象となる人の存在を検知することができる。また、体重を計測することができるものでは、被験者の体重に基づいてＸ線発生装置を調整し、最適なＸ線強度をセットしてより鮮明な画像を得るようにてもよい。
さらに、温度センサによっても人の存在を検出することができる。さらに接触センサを通路の床に配置して人がその上に来たときに検出信号を発生するようにしてもよい。
また、超音波または赤外線などの光線を使用して反射ビームを捕らえることにより人の存否を検出する方式のセンサを用いることもできる。
【００１３】
本発明の保安ゲートでは、通路の入口に扉や回転バーなどの障害物を設けて、検査対象となる人が通路内に存在するときには新たな人が通路中に入れないようにすることが好ましい。人センサが人の存在を検出していないときだけ入口障害物のロックを解除して人が中に入れるようになるので、確実に一人ずつ検査を行うことができる。
また、さらに電子カメラをセットしておいて、Ｘ線撮影をした人物の顔写真あるいは身体の写真を取得できるようにすることが好ましい。取得した写真は、Ｘ線画像と一緒にしてデータベースに格納し、後に疑いが生じたときに被疑者を特定し手配するために利用することができる。
【００１４】
なお、通路にさらに別の扉が設けられ、その扉を開けると精査場に繋がるようにしておいて、Ｘ線検査により禁制品を検出したときに出口扉をロックし、この別扉を開けて被疑者を精査場に案内するようにしてもよい。Ｘ線検査器では危険物や禁制品の判断をしきれない場合には、さらに検査員が丁寧に検査して確認することが必要になる。このような場合にも、搭乗者や入国者の流れを止めて検査するのでは渋滞が激しくなって収拾がとれなくなるおそれがある。したがって、被疑者は別に設けられた精査場に案内して詳細検査することが好ましい。
【００１５】
さらに通路の入口部に金属検知器を備えて、金属探知器とＸ線撮影の２重検査を行うことにより、より確実に凶器等の検出を行えるようにしてもよい。
空港に設置する場合は、保安ゲートの入口部にチケット検査装置を備えて、搭乗者チェックを同時に行うようにしてもよい。全数検査を行うときには、チケット検査とＸ線検査を一体のものとすることにより、被験者がＸ線検査に対する違和感を持ちにくくして、禁制品検査を円滑に行えるようにする効果が生ずる。
【００１６】
なお、保安ゲートの通路にＬ字状に折れ曲がった部分を持たせて、その角の壁の外にＸ線発生装置を設置するようにしてもよい。壁の後ろに設置されるＸ線発生装置は、被験者に対して比較的近くに位置させることができ、Ｘ線照射方向を自由に選択でき、また複雑で大型の駆動機構であっても設置することができる。
【００１７】
【発明の実施の形態】
以下実施例を用いて本発明を詳細に説明する。
図１と図２は本発明に係る保安ゲートの第１の実施例を表した図面、図３と図４は第２実施例を表す図面、図５と図６は第３実施例を表す図面である。
【００１８】
【実施例１】
第１の実施例は、空港において搭乗者の検査を行うために設置されるもので、直進通路に２次元センサ式撮像装置を設置した保安ゲートである。図１は本実施例の保安ゲートの平面図、図２はその立面図である。
本実施例の保安ゲート１は、Ｘ線検査室２の入口にチケット検査装置３を付帯させたものである。チケット検査装置３のチケット投入口３１に搭乗券を投入して正規のものであることが確認できた人だけに出口扉３２が開いて、Ｘ線検査室２に進入することができる。この出口扉３２はＸ線検査室２の入口扉でもあり、Ｘ線検査室２で人が検査を受けている間はロックされ、新しい人が入れないようにして、検査を受ける人を特定できるようになっている。
【００１９】
なお、チケット検査装置３の入口位置に入口扉３３を備えて、Ｘ線検査室２に人がいる間は入口扉３３を閉じておいて新しい人が進入できないようにしておく。また、入口扉３３は出口扉３２が開いている間も閉じておいて、人が２個の扉をすり抜けてしまわないようにする。
なお、図には示さないが、金属探知用のゲートを入口に併設して、保安ゲート１で検査する前に隠し持った金属製の凶器などを検出するようにしてもよい。２重の検査により確実に危険物の検出を行うことができる。
【００２０】
Ｘ線検査室２は、人が歩行する直線通路２１が設けられ、通路２１の末端出口部に扉などの障害物２２を備える。通路２１の床２３の下にＸ線源２４が設置され、出口扉２２の中にフラットパネル型検出器などの２次元Ｘ線検出素子で構成されるＸ線検出器２５を組み込んである。検出器２５は被験者に悟られないようにカバーが掛けられている。
出口扉２２の前に撮影の定位置２６が決められていて、この定位置２６の側部に人センサ２７が設けられている。人センサ２６は、接点式スイッチ、体重を感知するセンサ、赤外線を使った温度センサ、接触センサ、光線の遮蔽を検知する光電センサ、反射を利用した超音波センサや赤外線センサなど、各種のセンサを用いたものを利用することができる。
人センサ２６が人を検出すると、Ｘ線源２４とＸ線検出素子２５および図外のＸ線像表示装置から構成されるＸ線撮影装置を作動させて、定位置２６に立った被験者５のＸ線透過像を撮影する。
【００２１】
Ｘ線源２４は、定位置２６に立った人を頭から足先までＸ線照射するように、放射角α，βや人との距離を決めて、適合する位置に設置される。被験者５が靴底に禁制品を隠す場合もあるため、足先まで映像を取ることができるようにすることが好ましい。
なお、人体のＸ線被曝を抑制するため、Ｘ線は背後から照射することが好ましい。背後から見ると体の厚さが薄いので、照射線量が小さくても鮮明なＸ線画像を得ることができる。
【００２２】
Ｘ線検査結果に従って、被験者５が不審物を所持していない場合は、出口扉２２が開いて被験者５は保安ゲート１を通過することができる。また、被験者５が不審物を所持しているときは、通路２１の側壁に設けられた扉２８が開いて、被験者５を図外の詳細検査室に導き、ここで検査員の厳しい検査を受けることになる。
なお、通路２１には監視カメラ２９が設けられていて、常時監視すると共に、被験者の映像を取得してＸ線検査と１対１に対応させてデータベースに保管しておくと、再検討の結果、不審があると判定されたときには、その映像情報を活用して不審者を空港内で捕らえて再検査することができる。
【００２３】
本実施例の保安ゲート１では、禁制品所持検査は、被験者５が保安ゲート１内に進入し通路２１を通る間に行う。被験者５は、チケット検査装置３で搭乗資格を有することを確認した上、Ｘ線検査室２に進入しそのまま出口に向かって進む。出口扉２２が閉まっているので、出口扉２２の前で扉が開くのを待つ。被験者５がたたずんだ位置が撮影をするときの定位置２６であるので、人センサ２７が被験者５を検出して、Ｘ線撮影装置を作動させて被験者５の頭から爪先までのＸ線透過画像を取得し、画像表示装置に表示する。
なお、人センサ２７が人の存在を検知したときに、表示ランプや液晶ディスプレイなどの視覚的手段や音声などの音響手段を用いて、定位置２６で暫時停止するよう促し、Ｘ線撮影が終わったときに先へ進むように促すようにしてもよい。
【００２４】
画像表示装置には被験者５のポケットの中身、果ては胃や腸に納まった異常物体まで表示されるので、係員が禁制品を探し出す。
なお、画像処理装置を使って銃器や刃物などをパターン認識させることにより、自動的に禁制品を抽出させることもできる。
被験者５が禁制品を隠し持っていると判定されたときは、さらに精査するため通路２１の側壁に設けられた扉２８を開いて被疑者を詳細検査室に案内し、係員により詳細に検査して処置する。
また、被験者５が禁制品を所持していないときは、出口扉２２を開いて、被験者５をＸ線検査室２から出して、次の被験者を入れて同じＸ線検査を繰り返す。
【００２５】
【実施例２】
第２の実施例は、第１の実施例と比較すると、直進通路に１次元センサ式撮像装置を設置したところのみが異なる保安ゲートである。図３は本実施例の平面図、図４は立面図である。なお、第１の実施例と共通の要素に同じ参照番号を付して説明を簡約化する。
本実施例の保安ゲート１では、Ｘ線検査室２の通路２１の出口に１対の引き戸４３，４４からなる出口障害物が設けられている。
【００２６】
本実施例では、前側の引き戸４３には１次元Ｘ線センサにより構成されるＸ線検出器４２が取り付けられていて、引き戸４３が横方向に移動するのに従って検出する位置４２’を水平方向に移動させる。なお、本実施例で使用できる１次元Ｘ線ラインセンサには、シンチレータとフォトダイオードを組み合わせたもの、半導体検出器、イオンチャンバなど、一般に使用される各種の１次元ラインセンサがある。
また、床下のＸ線源４１は水平方向に薄く垂直方向に角度γを有するスリット状のＸ線を発生し、Ｘ線センサ４２の移動と同期して水平方向に反対側の４１’まで移動する。Ｘ線源４１とＸ線センサ４２の同期した水平移動により、被験者５は全身のＸ線透過像の撮影をされて、Ｘ線画像が表示装置に表示されるようになっている。
【００２７】
本実施例の保安ゲートも、第１の実施例の保安ゲートと同じ方法で使用される。
すなわち、被験者５は、チケット検査装置２で搭乗資格を有することを確認した上で、Ｘ線検査室２に進入し出口扉４３の前まで進んで扉が開くのを待つ。被験者５がたたずんだ位置は撮影をするときの定位置２６であるので、人センサ２７が被験者５を検出して、Ｘ線撮影装置を作動させる。すると、引き戸型の出口扉４３，４４は互いに逆の横方向にスライドし、Ｘ線センサ４２が内側の引き戸４３に伴って水平方向に移動する。Ｘ線センサ４２と連動してＸ線源４１が移動し、被験者５の頭から爪先までのＸ線透過画像を取得し、画像表示装置に表示する。
【００２８】
被験者５が禁制品を隠し持っていると判定されたときは、さらに精査するため通路２１の側壁に設けられた扉２８を開いて詳細検査室に案内し詳細検査する。被験者５が禁制品を所持していないときは、内側引き戸４３と外側引き戸４４がそれぞれ通路の外側に移動して出口が開いて被験者５を送り出す。このとき、内側引き戸４３が水平方向に移動して被験者５の幅だけＸ線撮影が終了するまでは、外側引き戸４４との間が重なって被験者５が擦り抜けないようにする。被験者５がＸ線検査室２から出て引き戸４３，４４が閉じてから次の被験者を入れて同じＸ線検査を繰り返す。
【００２９】
【実施例３】
第３の実施例は、第１および第２の実施例と比較すると、直進通路に代えてクランク通路を使用することによってＸ線撮影装置の設計をより自由にしたもので、クランク通路で曲がった後の突き当たりの出口扉にＸ線検出器を組み込み、それと対向する壁の後ろにＸ線源を配置したところが異なる保安ゲートである。
図５は本実施例の平面図、図６は立面図である。なお、第１の実施例と共通の要素に同じ参照番号を付して説明を簡約化する。
【００３０】
本実施例では、チケット検査装置３の出口扉３２を出ると、Ｘ線検査室２の通路２１が右方向に出口扉２２まで延びている。通路２１の側壁には詳細検査室につながる扉２８が設けられている。また、通路２１の天井には監視カメラ２９が設備されている。
出口扉２２の中には１次元ラインセンサを用いたＸ線検出器４２が組み込まれている。Ｘ線検出器４２はラインセンサが水平方向に配置され、出口扉２２の中で上下に移動して面を走査することにより被験者５の全身像を形成する。
【００３１】
また、出口扉２２に対向する通路２１の壁、すなわちチケット検査装置３から入った所のすぐ左の壁の後ろに線源室４５が設けられていて、ここにＸ線検出器４２に対向するようにＸ線源４１が配置されている。Ｘ線源４１は水平方向に照射角γで広がるスリット状Ｘ線ビームを発生するもので、Ｘ線検出器４２の上下動と連動して上下し、出口扉２２の前の所定位置２６に立つ被験者５の全身像を形成させる。
線源室４５と通路２１の間の壁は、Ｘ線が透過しやすいガラスあるいはアクリルで形成されている。
【００３２】
出口扉２２の前の所定位置２６の側壁に人センサ２７が設置されていて、人が所定位置２６に立つと人センサ２７が作動して、Ｘ線撮影を開始させる。
また、通路の天井には監視カメラ２９が設置されていて、常時被験者５の映像を取得して、必要に応じて記録する。特に、Ｘ線検査の結果と被験者５の画像を対応できるようにしてデータベースに蓄積しておくと、結果を再検査して疑わしい人物を発見したときにも画像を使って手配し被疑者を捕らえることができる。なお、本実施例の説明では、Ｘ線撮影を水平に配置した１次元Ｘ線センサにより行う態様を用いたが、実施例２におけると同様にラインセンサを垂直に配置したものを用いても、また２次元Ｘ線センサを利用したものを用いてもよいことはいうまでもない。
【００３３】
さらに、上記各実施例の説明において、Ｘ線源を天井板の上に設置してもよく、またＸ線源とＸ線センサをそれぞれ被験者を挟んだ側壁内に設置したり、天井と床下に設置してもよい。
本装置の出入口には鉄や鉛ガラスなどの放射線遮蔽能力を備えた材料で作られた遮蔽壁を設けることが好ましい。
なお、本発明のＸ線検査装置付きゲートは、コンテナに収納したりトレーラに組み込んで搬送を可能にし、スタジアムなどの催し物会場に設置して利用することもできる。
【００３４】
【発明の効果】
以上説明した通り、本発明のＸ線検査装置付き保安ゲートは、人の流れを堰き止めることなく、検査装置を意識させずに、鮮明なＸ線画像を得ることができるので、空港や入国管理所に設置して、被疑者に限らず全員にゲートを通過させることにより、危険物の機内持ち込みや禁制品の国内持ち込みを水際で確実に阻止することができる。
【図面の簡単な説明】
【図１】本発明の第１実施例に係るＸ線検査装置付き保安ゲートの平面図である。
【図２】図１の保安ゲートの立面図である。
【図３】本発明の第２実施例に係るＸ線検査装置付き保安ゲートの平面図である。
【図４】図３の保安ゲートの立面図である。
【図５】本発明の第３実施例に係るＸ線検査装置付き保安ゲートの平面図である。
【図６】図５の保安ゲートの立面図である。
【符号の説明】
１　保安ゲート
２　Ｘ線検査室
３　チケット検査装置
５　被験者
３１　チケット投入口
３２　チケット検査装置の出口扉
３３　チケット検査装置の入口扉
２１　通路
２２　出口障害物、または出口扉
２３　床
２４　Ｘ線源
２５　Ｘ線検出器、またはＸ線検出素子
２６　撮影の定位置
２７　人センサ
２８　詳細検査室への扉
２９　監視カメラ
４３，４４　引き戸、または出口扉
４２，４２’　Ｘ線検出器、またはＸ線センサ
４１，４１’　Ｘ線源
４５　線源室
【図１】
2004069575.tif 000003
【図２】
2004069575.tif 000004
【図３】
2004069575.tif 000005
【図４】
2004069575.tif 000006
【図５】
2004069575.tif 000007
【図６】
2004069575.tif 000008